(57)【要約】【課題】  外装された保護チューブに対し、ハーネスの動きを抑制することを可能とする。【解決手段】  外装した保護チューブ２５の端部から延出してケース３内に配策するハーネス２３を把持すると共にケース３に対して支持されるクランプ２９を備えたハーネス２３の支持構造において、クランプ２９は、保護チューブ２５及びハーネス２３を保護チューブ２５の端部２７側にて共に把持し、クランプ２９は、ケース３側に支持される係合部３３と係合部３３の両側に設けられ保護チューブ２５を把持するチューブ把持部３５及びハーネス２３を把持するハーネス把持部３７とからなり、ケース２３は、ケース本体５及び極盤７の合わせ構造であり、クランプ２９は、ケース本体５及び極盤７間に挟み込み支持されたことを特徴とする。【選択図】  図１
2006067676.tif 000002
【特許請求の範囲】
【請求項１】
外装した保護チューブの端部から延出してケース内に配策するハーネスを把持すると共に前記ケース側に対して支持されるクランプを備えたハーネスの支持構造であって、
前記クランプは、前記保護チューブ及び該保護チューブから延出するハーネスの一部を把持する
ことを特徴とするハーネスの支持構造。
【請求項２】
請求項１記載のハーネスの支持構造であって、
前記クランプは、前記ケース側に支持される係合部と該係合部の両側に設けられ前記保護チューブを把持するチューブ把持部及び前記ハーネスを把持するハーネス把持部とからなる
ことを特徴とするハーネスの支持構造。
【請求項３】
請求項１又は２記載のハーネスの支持構造であって、
前記ケースは、少なくとも２部材の合わせ構造であり、
前記クランプは、前記ケースの部材間に挟み込み支持された
ことを特徴とするハーネスの支持構造。
【請求項４】
請求項３記載のハーネスの支持構造であって、
前記ケースの部材それぞれに、先端部がケースの組合せ方向にラップする壁部を設け、
前記ハーネスを、前記壁部の先端部間で挟み込み保持するように配索した
ことを特徴とするハーネスの支持構造。
【請求項５】
請求項１〜４の何れかに記載のハーネスの支持構造であって、
前記クランプは、可撓性の金属製板材で形成された
ことを特徴とするハーネスの支持構造。
【発明の詳細な説明】
【技術分野】
【０００１】
本発明は、コンビネーションスイッチ等のハーネスの支持構造に関する。
【背景技術】
【０００２】
従来のこの種のハーネスの支持構造として、例えば図３に示すコンビネーションスイッチに適用したものがある。図３のように、コンビネーションスイッチ１０１は、例えばターンシグナルスイッチ、パッシングスイッチ、メイン、リバー切替スイッチ、ワイパーウォッシャースイッチ及び低速走行制御装置（ＡＳＣＤ）用スイッチの機能を備えている。
【０００３】
このコンビネーションスイッチ１０１は、前記ＡＳＣＤ用あるいはワイパーウォッシャースイッチ用等として電気供給を行うハーネス１０３を備え、ケース１０５外からケース１０５内へ配索されている。このハーネス１０３は、クランプ１０７によって把持されている。クランプ１０７は、前記ケース１０５のケース本体１０９と、ケース１０５の一部を構成する極盤１１１との間に挟み込み支持されている。
【０００４】
従って、クランプ１０７を介し、ハーネス１０３をケース１０５に対し位置決めて支持させることができる。このため、ハーネス１０３に引張力が働いたときでも、引張力をクランプ１０７を介してケース１０５側へ伝達することができ、スイッチ内部に作用する応力を低減させることができる。
【０００５】
ところで、前記ハーネス１０３をケース１０５外において、図４のように保護チューブ１１３で覆い、外部に露出するハーネス１０３を保護する場合がある。この場合のハーネス１０３の支持構造には、例えば樹脂製の結束バンド１１７が用いられ、保護チューブ１１３の外側から取付用のフック１１５と共に結束バンド１１７で結束する。この構造でも、例えばフック１１５を図３のようにケース本体１０９と極盤１１１との間に挟み込んで支持させることができる。
【０００６】
しかしながら、ハーネス１０３に引張力が働くと、保護チューブ１１３に対してハーネス１０３が図５（ａ）の状態から（ｂ）の状態へずれてしまい、コネクタ１１９の位置寸法がＡからＢへ変化したり、スイッチ内部に必要以上の応力が作用するという問題があった。
【０００７】
【特許文献１】特開２０００−１９５３８０号公報
【発明の開示】
【発明が解決しようとする課題】
【０００８】
解決しようとする問題点は、保護チューブに対しハーネスが位置ずれを起こすという点である。
【課題を解決するための手段】
【０００９】
本発明は、保護チューブに対しハーネスの動きを抑制するため、クランプは保護チューブ及び該保護チューブから延出するハーネスの一部を把持することを最も主要な特徴とする。
【発明の効果】
【００１０】
本発明のハーネスの支持構造は、クランプは、保護チューブ及び該保護チューブから延出するハーネスの一部を把持するため、クランプに対しチューブ及びハーネス双方を位置決めることができ、ケースに対して支持されたクランプに対し保護チューブ及びハーネスの位置ずれを共に抑制することができる。
【００１１】
前記クランプが、前記ケース側に支持される係合部と該係合部の両側に設けられ前記保護チューブを把持するチューブ把持部及び前記ハーネスを把持するハーネス把持部とからなる場合は、チューブ把持部によって保護チューブを把持し、ハーネス把持部によってハーネスを把持することでケース側に支持されたクランプに対し保護チューブ及びハーネスの位置ずれを共に抑制することができる。
【００１２】
前記ケースは、少なくとも２部材の合わせ構造であり、前記クランプが、前記ケースの部材間に挟み込み支持された場合は、保護チューブ及びハーネスを把持したクランプをケース側に対し容易に支持させることができる。
【００１３】
前記ケースの部材それぞれに、先端部がケースの組合せ方向にラップする壁部を設け、前記ハーネスを前記壁部の先端部間に挟み込み保持するように配索した場合は、ハーネスをクランプで把持すると共に、壁部の先端部間で挟み込み保持することにより、より確実に位置ずれを抑制することができる。
【００１４】
前記クランプが、可撓性の金属製板材で形成された場合は、クランプによる保護チューブ及びハーネスの把持をクランプの変形によって容易に行うことができる。
【発明を実施するための最良の形態】
【００１５】
保護チューブに対しハーネスの位置ずれを抑制するという目的を、部品点数の増加を伴わずに実現した。
【実施例１】
【００１６】
図１は、本発明の実施例１に係るハーネスの支持構造を適用した、例えばコンビネーションスイッチの一部を示す分解斜視図、図２は、同要部を示す断面図である。
【００１７】
図１，図２のように、コンビネーションスイッチ１のケース３は、ケース本体５と、ケース３の一部を構成する極盤７との合わせ構造となっている。
【００１８】
前記ケース本体５には、クランプ保持用の矩形の切欠部９が設けられている。切欠部９は、上縁部１１、左右側縁部１３，１５によって構成されている。
【００１９】
前記極盤７には、クランプ保持用の屈曲部１７を備えている。屈曲部１７には、左右押圧片部１９，２１が設けられている。左右押圧片部１９，２１の外側面間の幅Ｈ１が、前記左右側縁部１３，１５間の幅Ｈ２とほぼ一致するように形成されている。
【００２０】
前記ケース３内には、外部からハーネス２３が配索される構成となっている。ハーネス２３には、保護チューブ２５が外装されている。保護チューブ２５は、樹脂で形成され、可撓構造となっている。保護チューブ２５は、ケース３外でハーネス２３を保護する。ハーネス２３は、ケース３内で保護チューブ２５無しで配索されている。すなわち、ハーネス２３は、外装した保護チューブ２５の端部２７から延出してケース３内に配索された構成となっている。
【００２１】
前記ハーネス２３は、クランプ２９で把持され、前記ケース３に対して支持される構成となっている。
【００２２】
本実施例において、前記クランプ２９は、保護チューブ２５及び該保護チューブ２５から延出するハーネス２３の一部３１を把持する構成となっている。
【００２３】
具体的には、前記クランプ２９は、可撓性の金属製板材で形成され、係合部３３とチューブ把持部３５及びハーネス把持部３７とが一体に形成されてなっている。
【００２４】
前記係合部３３は、ベース片部３９、左右側片部４１，４３、及び左右係合舌片４５，４７からなている。ベース片部３９は、矩形状をなし、その両側に前記左右側片部４１，４３が設けられている。左右側片部４１，４３の先端に、前記左右係合舌片４５，４７が設けられている。前記左右側片部４１，４３の外面間の幅ｈは、前記ケース本体５の左右側縁部１３，１５間の幅Ｈ２に対応し、ほぼ同幅となっている。従って、左右側片部４１，４３が、左右側縁部１３，１５間に嵌合し、且つ極盤７の左右押圧片部１９，２１上に重なる構成となっている。係合部３３の全体的な高さｄは、ケース本体５側の切欠部９の高さＤに対応し、ほぼ同高さとなっている。
【００２５】
前記チューブ把持部３５及びハーネス把持部３７は、前記ベース片部３９に対し首部４９，５１を介して設けられている。チューブ把持部３５及びハーネス把持部３７には、それぞれ折返し片部５３，５５が設けられている。
【００２６】
前記ハーネス２３に外装された保護チューブ２５の端部２７は、チューブ把持部３５の折返し片部５３の折返しによって加締められるように把持されている。チューブ把持部３５では、保護チューブ２５内を通るハーネス２３を端部２７と共に把持している。但し、チューブ把持部３５により保護チューブ２５のみを把持する構成にすることもできる。前記保護チューブ２５の端部から延出したハーネス２３の部分３１は、前記ハーネス把持部３７の折返し片部５５の折返しによって加締められるように把持されている。
【００２７】
図２のように、前記ケース本体５には、前記切欠部９に隣接して壁部５７が設けられている。壁部５７の先端部５９は、ケース本体５と、極盤７との合わせ面６１よりも極盤７側に突出している。前記極盤７側には、前記壁部５７に隣接する壁部６３が突設されている。壁部６３の先端部６５は、前記壁部５７の先端部５９にケース３の重ね合わせ方向に交差する方向で対向している。すなわち、壁部６３，５７の先端部６５，５９は、ケース３の組合せ方向にラップしている。  そして、前記ケース本体５に対し極盤７を結合するに際し、前記切欠部９に前記保護チューブ２５及びハーネス２３を把持したクランプ２９を取り付ける。この取付に際し、まず左右側縁部１３，１５間にクランプ２９の左右側片部４１，４３を嵌め込み、左右係合舌片４５，４７を図１一点鎖線図示のように左右側縁部１３，１５外の両外面に係合させる。この状態で、ケース本体５に極盤７を重ね合わせるように結合固定すると、極盤７の左右押圧片部１９，２１が前記クランプ２９の左右側片部４１，４３に突き当たり、クランプ２９の左右側片部４１，４３が左右押圧片部１９，２１及び切欠部９の上縁部１１間で挟み込まれるように支持される。
【００２８】
このとき、ケース本体５の外面では、クランプ２９の左右係合舌片４５，４７がケース本体５外面に係合し、ケース本体５の内面では、ハーネス把持部３７がケース本体５内面に当接するか近接対向する。
【００２９】
これらによって、前記クランプ２９がケース本体５及び極盤７間に確実に支持されることになる。従って、クランプ２９が保護チューブ２５及びハーネス２３を共に把持すると共に、クランプ２９がケース３に対し確実に支持される。
【００３０】
この状態で、前記ハーネス２３は、ケース本体５側の壁部５７の先端部５９と極盤７側の壁部６３の先端部６５との間に挟み込み保持される。
【００３１】
このようにして、ハーネス２３及び保護チューブ２５がクランプ２９によってケース３側に支持されるので、ハーネス２３の保護チューブ２５に対する動きを確実に抑制し、ハーネス２３の外部コネクタの位置寸法を正確に維持することができる。また、ハーネス２３の位置ずれを抑制できるので、スイッチ内部に作用する応力を確実に低減することができる。
【００３２】
本実施例では、ハーネス２３を壁部５７，６３の先端部５９，６５間で挟み込み保持しているので、ハーネス２３の動きをより確実に抑制し、コネクタの位置寸法の維持、スイッチ内部に作用する応力の低減をより確実に奏することができる。
【００３３】
尚、上記実施例では、クランプ２９をケース本体５及び極盤７間で挟み込み支持する構成としたが、クランプ２９をケース本体５等にビス止めするなど他の方法によってケース３側に固定することもできる。
【００３４】
前記クランプ２９は、可撓性の金属製板材で形成したが、ハーネス及び保護チューブを共に把持できるものであれば、樹脂製材料等によって形成することもできる。この場合、チューブ把持部３５及びハーネス把持部３７を従来の結束バンドのような構造にすることも可能である。さらに、クランプ２９の係合部３３自体も従来の結束バンドのような構造とし、ケース側のフック等に結束支持させることもできる。
【００３５】
本発明のハーネスの支持構造の適用は、コンビネーションスイッチに限らず、他の装置にも適用することができる。
【図面の簡単な説明】
【００３６】
【図１】コンビネーションスイッチの一部を示す分解斜視図である（実施例１）。
【図２】コンビネーションスイッチの要部断面図である（実施例１）。
【図３】コンビネーションスイッチの要部断面図である（従来例）。
【図４】ハーネス及び保護チューブの支持構造を示す断面図である（従来例）。
【図５】（ａ）はコネクタの位置ずれ前、（ｂ）はコネクタの位置ずれ後の状態を示す説明図である（従来例）。
【符号の説明】
【００３７】
３  ケース
５  ケース本体（部材）
７  極盤（部材）
２３  ハーネス
２５  保護チューブ
２７  端部
２９  クランプ
３１  延出された部分
３３  係合部
３５  チューブ把持部
３７  ハーネス把持部
【図１】
2006067676.tif 000003
【図２】
2006067676.tif 000004
【図３】
2006067676.tif 000005
【図４】
2006067676.tif 000006
【図５】
2006067676.tif 000007